(57)【要約】【課題】テープ部材への異物の付着の可能性を減らす技術を提供する。【解決手段】レンズ部材に対してテープ部材を貼り付けて眼鏡レンズを製造する装置であって、巻物状に巻かれたテープ部材を引っ張り状態とすることによりテープ部材を剥離する剥離機構と、剥離されたテープ部材を除電する除電機構と、除電されたテープ部材をレンズ部材の面に貼り付ける貼付機構と、を備えた、眼鏡レンズの製造装置およびその関連技術を提供する。【選択図】図３
2020056871.tif 000002
【特許請求の範囲】
【請求項１】
レンズ部材に対してテープ部材を貼り付けて眼鏡レンズを製造する装置であって、
巻物状に巻かれた前記テープ部材を引っ張り状態とすることにより前記テープ部材を剥離する剥離機構と、
剥離された前記テープ部材を除電する除電機構と、
除電された前記テープ部材を前記レンズ部材の面に貼り付ける貼付機構と、
を備えた、眼鏡レンズの製造装置。
【請求項２】
前記除電機構は接触式である、請求項１に記載の眼鏡レンズの製造装置。
【請求項３】
前記除電機構は除電ブラシである、請求項２に記載の眼鏡レンズの製造装置。
【請求項４】
前記除電機構は、前記テープ部材と接触する部分に切り込みを有する、請求項２に記載の眼鏡レンズの製造装置。
【請求項５】
天地方向の天の方向を上方、地の方向を下方とするとき、
引っ張り状態の前記テープ部材の上方に前記除電機構が配置された、請求項２〜４のいずれかに記載の眼鏡レンズの製造装置。
【請求項６】
天地方向の天の方向を上方、地の方向を下方とするとき、
前記貼付機構は、前記レンズ部材を保持するレンズホルダを有し、
前記レンズホルダは、引っ張り状態の前記テープ部材の下方に配置された、請求項５に記載の眼鏡レンズの製造装置。
【請求項７】
前記眼鏡レンズの製造装置は、剥離された前記テープ部材を前記貼付機構に搬送する搬送機構を更に備えた、請求項２〜６のいずれかに記載の眼鏡レンズの製造装置。
【請求項８】
前記除電機構が前記テープ部材と接触する部分と、前記搬送機構の一部である貼付前搬送ローラーが前記テープ部材と接触する部分とは対向しない、請求項７に記載の眼鏡レンズの製造装置。
【請求項９】
前記除電機構は吊り下げて配置された、請求項２〜８のいずれかに記載の眼鏡レンズの製造装置。
【請求項１０】
天地方向の天の方向を上方、地の方向を下方とするとき、
前記除電機構が前記テープ部材と接触する部分を下端としたときの前記除電機構の上下方向の寸法が、引っ張り状態の前記テープ部材から吊り下げ状態の前記除電機構の上端までの上下方向の距離よりも大きくなるよう、前記除電機構が配置された、請求項９に記載の眼鏡レンズの製造装置。
【請求項１１】
除電された前記テープ部材を切り取る切取機構を更に備えた、請求項１〜１０のいずれかに記載の眼鏡レンズの製造装置。
【請求項１２】
レンズ部材に対してテープ部材を貼り付けて眼鏡レンズを製造する方法であって、
巻物状に巻かれた前記テープ部材を引っ張り状態とすることにより前記テープ部材を剥離する剥離工程と、
剥離された前記テープ部材を除電する除電工程と、
除電された前記テープ部材を前記レンズ部材の面に貼り付ける貼付工程と、
除電された前記テープ部材を切り取る切取工程と、
を有する、眼鏡レンズの製造方法。
【請求項１３】
前記剥離工程の前では、樹脂製の長尺な前記テープ部材と、樹脂製の長尺な台紙部材とが、テープ部材の片面に設けられた粘着層を介して互いに貼り付き、巻物状に巻かれている、請求項１２に記載の眼鏡レンズの製造方法。
【発明の詳細な説明】
【技術分野】
【０００１】
本発明は、眼鏡レンズの製造装置および製造方法に関する。
【背景技術】
【０００２】
レンズ部材に対してテープ部材を貼り付けて眼鏡レンズを製造する装置（いわゆる貼付装置）が知られている。この貼付装置としては、非特許文献１に記載のものが知られている。
【０００３】
非特許文献１に記載の貼付装置の概要を、図１および図２を用いて説明する。
図１は、従来の貼付装置の概略側断面図である。
図２は、従来の貼付装置において台紙部材からテープ部材を剥離する様子、および、剥離の際の帯電の様子を示す概略拡大側面図である。
【０００４】
長尺な台紙部材Ｄと長尺なテープ部材Ｔとが、テープ部材Ｔの片面に設けられた粘着層を介して互いに貼り付き、巻物状（roll-like）に巻かれた状態を例示する。巻物状に巻かれた長尺のこのテープ部材Ｔを貼付装置１００に装着する。具体的には、図１の右下の剥離ローラー２１にテープ部材Ｔをセットする。
【０００５】
そして、図１に示すように、巻物状に巻かれたテープ部材Ｔを、左方に配置されたテープ部材巻取ローラー２２および剥離ローラー２１の上方に配置された台紙部材巻取ローラー２３を用いて引っ張り状態とする。これにより前記テープ部材Ｔを剥離する。
【０００６】
図２に示すように、台紙部材Ｄからテープ部材Ｔを剥離した状態で、台紙部材Ｄを右下の剥離ローラー２１下方にて１８０度折り曲げる。そして、折り曲げられた台紙部材Ｄを、図１の右上の台紙部材巻取ローラー２３に装着する。剥離ローラー２１および台紙部材巻取ローラー２３を回転させることにより、剥離後の台紙部材Ｄは、剥離ローラー２１により巻き取られる。
【０００７】
テープ部材Ｔは、剥離ローラー２１の左方に配置された貼付前搬送ローラー３１の上部と接触しながら、水平方向に搬送される。
【０００８】
テープ部材Ｔが水平方向に搬送され続けると、テープ部材Ｔはレンズ部材Ｌの上方に位置する。なお、レンズ部材Ｌは、テープ部材Ｔの搬送方向且つ下方に２つ並んで配置される。
【０００９】
テープ部材Ｔがレンズ部材Ｌの上方に位置すると、テープ部材Ｔの搬送が一時停止される。そして、各レンズ部材Ｌを下方から保持するレンズホルダ４が上昇し、テープ部材Ｔの粘着層とレンズ部材Ｌとを接触させる。
【００１０】
その後、テープ部材Ｔの上方に配置された刃（不図示）が下降し、下方にあるテープ部材Ｔをレンズ部材Ｌの面の輪郭形状に合わせて切り取る。
【００１１】
その後、レンズホルダ４が下降し、レンズの面の形状の穴が開いた使用後テープ部材Ｔの搬送が再開される。使用後テープ部材Ｔは、レンズホルダ４の左方に上下並んで配置された２個の貼付後搬送ローラー３２の間を通過し、テープ部材巻取ローラー２２に巻き取られる。
【先行技術文献】
【非特許文献】
【００１２】
【非特許文献１】オプティマルオプティク社ＨＰ（<http://www.optimal-optic.de/>）
【発明の概要】
【発明が解決しようとする課題】
【００１３】
図２に示すように、テープ部材Ｔが剥離されることにより、テープ部材Ｔが帯電する。テープ部材Ｔが帯電すると、周囲に存在する異物を引き寄せる。そうなると、テープ部材Ｔに異物が付着したままレンズ部材Ｌにテープ部材Ｔが貼り付けられ、眼鏡レンズが製造されることになる。このような眼鏡レンズは不良品となり、歩留まり低下の一因となる。
【００１４】
本発明の一実施例は、テープ部材への異物の付着の可能性を減らす技術を提供することを目的とする。
【課題を解決するための手段】
【００１５】
本発明は、前記目的を達成するために案出されたものである。具体的には、剥離後であって、切取および貼付の前に、テープ部材に対して除電を行うという知見に基づき、以下の態様が案出された。
【００１６】
本発明の第１の態様は、
レンズ部材に対してテープ部材を貼り付けて眼鏡レンズを製造する装置であって、
巻物状に巻かれた前記テープ部材を引っ張り状態とすることにより前記テープ部材を剥離する剥離機構と、
剥離された前記テープ部材を除電する除電機構と、
除電された前記テープ部材を前記レンズ部材の面に貼り付ける貼付機構と、
を備えた、眼鏡レンズの製造装置である。
【００１７】
本発明の第２の態様は、第１の態様に記載の態様であって、
前記除電機構は接触式である。
【００１８】
本発明の第３の態様は、第２の態様に記載の態様であって、
前記除電機構は除電ブラシである。
【００１９】
本発明の第４の態様は、第２の態様に記載の態様であって、
前記除電機構は、前記テープ部材と接触する部分に切り込みを有する。
【００２０】
本発明の第５の態様は、第２〜第４のいずれかの態様に記載の態様であって、
天地方向の天の方向を上方、地の方向を下方とするとき、
引っ張り状態の前記テープ部材の上方に前記除電機構が配置される。
【００２１】
本発明の第６の態様は、第５の態様に記載の態様であって、
天地方向の天の方向を上方、地の方向を下方とするとき、
前記貼付機構は、前記レンズ部材を保持するレンズホルダを有し、
前記レンズホルダは、引っ張り状態の前記テープ部材の下方に配置される。
【００２２】
本発明の第７の態様は、第２〜第６のいずれかの態様に記載の態様であって、
前記眼鏡レンズの製造装置は、剥離された前記テープ部材を前記貼付機構に搬送する搬送機構を更に備える。
【００２３】
本発明の第８の態様は、第７の態様に記載の態様であって、
前記除電機構が前記テープ部材と接触する部分と、前記搬送機構の一部である貼付前搬送ローラーが前記テープ部材と接触する部分とは対向しない。
【００２４】
本発明の第９の態様は、第２〜第８のいずれかの態様に記載の態様であって、
前記除電機構は吊り下げて配置される。
【００２５】
本発明の第１０の態様は、第９の態様に記載の態様であって、
天地方向の天の方向を上方、地の方向を下方とするとき、
前記除電機構が前記テープ部材と接触する部分を下端としたときの前記除電機構の上下方向の寸法が、引っ張り状態の前記テープ部材から吊り下げ状態の前記除電機構の上端までの上下方向の距離よりも大きくなるよう、前記除電機構が配置される。
別の言い方をすると、テープ部材の搬送方向に対し、除電機構の上端から下端に延在する方向が鋭角（図３に示す。好ましくは５〜６０°、更に好ましくは１０〜４５°）または鈍角（好ましくは９５〜１５０°、更に好ましくは１００〜１３５°）を成す。特に鋭角を成すのが好ましい。
【００２６】
本発明の第１１の態様は、第１〜第１０のいずれかの態様に記載の態様であって、
除電された前記テープ部材を切り取る切取機構を更に備える。
【００２７】
本発明の第１２の態様は、
レンズ部材に対してテープ部材を貼り付けて眼鏡レンズを製造する方法であって、
巻物状に巻かれた前記テープ部材を引っ張り状態とすることにより前記テープ部材を剥離する剥離工程と、
剥離された前記テープ部材を除電する除電工程と、
除電された前記テープ部材を前記レンズ部材の面に貼り付ける貼付工程と、
除電された前記テープ部材を切り取る切取工程と、
を有する、眼鏡レンズの製造方法である。
【００２８】
本発明の第１３の態様は、第１２の態様に記載の態様であって、
前記剥離工程の前では、樹脂製の長尺な前記テープ部材と、樹脂製の長尺な台紙部材とが、テープ部材の片面に設けられた粘着層を介して互いに貼り付き、巻物状に巻かれている。
【発明の効果】
【００２９】
本発明の一実施例によれば、テープ部材への異物の付着の可能性を減らす技術を提供できる。
【図面の簡単な説明】
【００３０】
【図１】図１は、従来の貼付装置の概略側断面図である。
【図２】図２は、従来の貼付装置において台紙部材からテープ部材を剥離する様子、および、剥離の際の帯電の様子を示す概略拡大側面図である。
【図３】図３は、本発明の一態様の貼付装置の概略側断面図である。
【発明を実施するための形態】
【００３１】
本明細書において、眼鏡レンズの「眼球側の面」とは、眼鏡レンズを備えた眼鏡が装用者に装用された際に眼球側に配置される面（例えば凹面）をいい、「物体側の面」とは、物体側に配置される面（例えば凸面）をいう。
本明細書において、天地方向の天の方向を上方、地の方向を下方とするとき、
本明細書において「〜」は所定の数値以上且つ所定の数値以下を表す。
【００３２】
以下、本発明の実施形態について述べる。以下に詳細な記載が無い内容は、非特許文献１に記載の装置構成または公知の貼付装置１００の構成と同様とする。
【００３３】
［本発明の一態様に係る眼鏡レンズの製造装置］
本発明の一態様に係る眼鏡レンズの製造装置は、
レンズ部材Ｌに対してテープ部材Ｔを貼り付けて眼鏡レンズを製造する装置であって、
巻物状に巻かれた前記テープ部材Ｔを引っ張り状態とすることにより前記テープ部材Ｔを剥離する剥離機構と、
剥離された前記テープ部材Ｔを除電する除電機構と、
除電された前記テープ部材Ｔを前記レンズ部材Ｌの面に貼り付ける貼付機構と、
を備えた、眼鏡レンズの製造装置（以降、貼付装置１とも称する。）である。
【００３４】
図３は、本発明の一態様の貼付装置１の概略側断面図である。
【００３５】
前記剥離機構の構成は、巻物状に巻かれたテープ部材Ｔを引っ張り状態とすることにより前記テープ部材Ｔを剥離できれば特に限定は無い。本発明の一態様においては、前記非特許文献１に記載の装置で言うところのテープ部材巻取ローラー２２および台紙部材巻取ローラー２３がそれに該当する。
【００３６】
なお、台紙部材Ｄを使用しない場合、つまりセロハンテープ（登録商標）のようにテープ部材Ｔの片面には前記粘着層を設ける一方でもう片面に剥離剤を塗布した剥離層を設け、前記テープ部材Ｔを巻物状に芯に巻き付けたものを使用する場合、テープ部材巻取ローラー２２のみを剥離機構として設けてもよい。
【００３７】
また、前記非特許文献１に記載の装置以外にも、テープ部材Ｔを作業者が引っ張る手動貼付装置が存在する。この手動貼付装置の場合、テープ部材Ｔを作業者が引っ張り、その状態のままテープ部材Ｔを保持する部分（セロハンテープ（登録商標）で言うところのテープ部材の切取部分）が剥離機構の少なくとも一部に該当する。
【００３８】
前記除電機構の構成には特に限定は無く、テープ部材Ｔの静電気を除去できればよい。除去態様についても特に限定は無く、コロナ放電により静電気を中和すればよい。
【００３９】
前記貼付機構の構成は、除電された前記テープ部材Ｔを前記レンズ部材Ｌの面に貼り付けられれば特に限定は無い。本発明の一態様においては、前記非特許文献１に記載の装置で言うところのレンズホルダ４がそれに該当する。
【００４０】
このような本発明の一態様ならば、剥離されたテープ部材Ｔが除電機構により除電される。その結果、テープ部材Ｔへの異物の付着の可能性を減らす技術を提供できる。
【００４１】
［本発明の一態様に係る眼鏡レンズの製造装置の好適例および変形例］
以下、本発明の一態様の好適例について説明し、本発明の一態様に係る眼鏡レンズの構成の詳細について説明する。
【００４２】
除電機構の具体的な態様についてであるが、例えば、テープ部材Ｔとは直接的には接触しない非接触式の除電機構として電圧印加式除電器（以降、イオナイザーとも称する。）を使用することが挙げられる。イオナイザーを使用する場合、イオン化した空気を吹き付けることにより除電を行う。
【００４３】
その一方、除電機構の具体的な態様として、接触式の除電機構を使用するのが好ましい。接触式の除電機構だと、非接触式の除電機構に比べ、装置が大掛かりならずに済む、ひいては、既存の貼付装置１００に容易に組み入れ可能となる。
【００４４】
また、イオナイザーのように空気を吹き付ける方式の除電機構に比べ、テープ部材Ｔに対して除電機構を接触させれば済む。これは、空気の吹き付けの際に、雰囲気中の異物（例えば眼鏡レンズの削り滓）を巻き上げずに済み、ひいてはテープ部材Ｔへの異物の付着の可能性を更に減らせることを意味する。
【００４５】
接触式の除電機構の具体的な態様についてであるが、例えば除電ブラシ５を使用することが挙げられる。除電ブラシ５の原理を簡単に説明すると、柄の部分を介してブラシの部分を通電させた状態で、静電気を除去すべき対象とブラシの部分とを接触させる。これにより、静電気を除去すべき対象上の静電気が、ブラシの部分の電子とコロナ放電を起こし、静電気が除去される。なお、除電ブラシ５は公知のものを使用すればよい。例えば、市販品の中でもデンキトール（登録商標）を使用してもよい。
【００４６】
接触式の除電機構の別の具体的な態様についてであるが、例えば除電用不織物を使用することが挙げられる。除電ブラシ５と同様、除電用不織物を通電させた状態で、静電気を除去すべき対象と除電用不織物とを接触させる。除電用不織物は公知のものを使用すればよい。例えば、市販品の中でもサンダーロン（登録商標）を使用してもよい。
【００４７】
なお、除電機構が除電用不織物の場合、除電用不織物に対し、前記テープ部材Ｔと接触する部分に切り込みを入れてもよい。これにより、除電用不織物が暖簾のようになり、テープ部材Ｔの形状に忠実に追従し、除電用不織物がテープ部材Ｔと良好に接触可能となる。
【００４８】
図３に示すように、前記眼鏡レンズの製造装置は、剥離された前記テープ部材Ｔを前記貼付機構に搬送する搬送機構を更に備える。本発明の一態様では、非特許文献１に記載の貼付前搬送ローラー３１および貼付後搬送ローラー３２が搬送機構に該当する。なお、先に述べた手動貼付装置の場合、搬送は作業者がテープ部材Ｔを引っ張ることにより行われる。貼付前搬送ローラー３１および貼付後搬送ローラー３２のような搬送機構は搬送を補助すべく設けても構わない。
【００４９】
非特許文献１に記載のような貼付装置１００にしても、先に述べた手動貼付装置にしても、テープ部材Ｔを引っ張り状態とすることに変わりはない。そして本発明の一態様では、引っ張り状態の前記テープ部材Ｔの上方に前記除電機構が配置されるのが好ましい。これにより、除電機構を上方から下方に向けて固定配置または吊り下げて配置するだけでテープ部材Ｔと接触可能となる。
【００５０】
引っ張り状態の前記テープ部材Ｔの上方に前記除電機構が配置される場合、貼付機構の少なくとも一部である、レンズ部材Ｌを保持するレンズホルダ４を、引っ張り状態の前記テープ部材Ｔの下方に配置するのが好ましい。これにより、本発明の一態様の貼付装置１にテープ部材Ｔをセットした際に、テープ部材Ｔの片面に存在する粘着層が下向きになりレンズ部材Ｌの物体側の面（凸面）と対向する。そして、テープ部材Ｔにおけるもう一方の片面（剥離面、粘着層が存在しない）に除電機構が接触する。つまり、粘着層に対して除電機構が存在することにより異物が付着することを事前に抑制できる。
【００５１】
なお、前記除電機構が前記テープ部材Ｔと接触する部分と、前記搬送機構の一部である貼付前搬送ローラー３１が前記テープ部材Ｔと接触する部分とは対向しない構成を採用するのが好ましい。例えばコロナ放電を利用して除電する場合、貼付前搬送ローラー３１による影響を排することができるためである。
【００５２】
引っ張り状態の前記テープ部材Ｔの上方に前記除電機構が配置される場合、前記除電機構は吊り下げて配置するのが好ましい。前記除電機構を吊り下げて配置することにより、前記除電機構は、水平面上且つテープ部材Ｔの搬送方向に垂直方向の回転軸に沿って振り子式に揺動自在な構成となる。これにより、例えばテープ部材Ｔの水平方向の搬送の際に上下方向に揺れが生じたとしても、除電機構は自重によって振り子式に揺動自在であることから、除電機構はこの揺れに忠実に追従し、除電機構はテープ部材Ｔと良好に接触可能となる。
【００５３】
なお、前記除電機構が前記テープ部材と接触する部分を下端としたときの前記除電機構の上下方向の寸法が、搬送中のテープ部材Ｔから吊り下げ状態の除電機構の上端までの距離よりも大きいのが好ましい。これにより、貼付装置１内にて除電機構を吊り下げ状態にセットしたとき、除電機構の下端すなわち除電のための通電部分がテープ部材Ｔと斜めに接触する。別の言い方をすると、テープ部材の搬送方向に対し、除電機構の上端から下端に延在する方向が鋭角（図３に示す。好ましくは５〜６０°、更に好ましくは１０〜４５°）または鈍角（好ましくは９５〜１５０°、更に好ましくは１００〜１３５°）を成す。特に鋭角を成すのが好ましい。これにより、除電機構はテープ部材Ｔの揺れにより忠実に追従し、除電機構はテープ部材Ｔとより良好に接触可能となる。
【００５４】
なお、前記構成とは逆に、除電機構を下方から上方に向けてテープ部材Ｔと接触させることも本発明の別の一態様に含まれる。また、テープ部材Ｔを垂直方向に搬送する場合、電機構を水平方向からテープ部材Ｔと接触させることも本発明の別の一態様に含まれる。
【００５５】
本発明の一態様は、切取機構を更に備えるのが好ましい。前記切取機構の構成は、除電された前記テープ部材Ｔを切り取ることが可能であれば特に限定は無い。本発明の一態様においては、前記非特許文献１に記載の装置で言うところの、テープ部材Ｔの上方に配置された刃（不図示）がそれに該当する。本発明の一態様では、テープ部材Ｔの上方に配置された刃が下降し、下方にあるテープ部材Ｔをレンズ部材Ｌの面の輪郭形状に合わせて切り取る。
【００５６】
先にも述べたが、テープ部材Ｔを作業者が引っ張る手動貼付装置の場合、該装置に切取機構を設ける代わりに、作業者が手作業で、テープ部材Ｔをレンズ部材Ｌの面の輪郭形状に合わせて切り取ってもよい。
【００５７】
［本発明の一態様に係る眼鏡レンズの製造方法］
本発明の一態様に係る眼鏡レンズの製造方法は、
レンズ部材Ｌに対してテープ部材Ｔを貼り付けて眼鏡レンズを製造する方法であって、
巻物状に巻かれた前記テープ部材Ｔを引っ張り状態とすることにより前記テープ部材Ｔを剥離する剥離工程と、
剥離された前記テープ部材Ｔを除電する除電工程と、
除電された前記テープ部材Ｔを前記レンズ部材Ｌの面に貼り付ける貼付工程と、
除電された前記テープ部材Ｔを切り取る切取工程と、
を有する、眼鏡レンズの製造方法である。
以下、本発明の一態様に係る眼鏡レンズの製造方法について説明する。なお、以下に記載が無い内容は、先に説明した［本発明の一態様に係る眼鏡レンズの製造装置］に記載の内容と同様とする。
【００５８】
まず、準備工程として、巻物状に巻かれたテープ部材Ｔを前記貼付装置１にセットする。一具体例としては以下の通りである。
台紙部材Ｄを含めて巻物状に巻かれたテープ部材Ｔを剥離ローラー２１にセットする。
そして、テープ部材Ｔの先端を、テープ部材巻取ローラー２２に固定する。その際に、テープ部材巻取ローラー２２と剥離ローラー２１との間に、上側を物体側の面（凸面）としたレンズ部材Ｌを固定したレンズホルダ４を配置する。レンズホルダ４は、引張状態のテープ部材Ｔの下方に配置する。
また、台紙部材Ｄの先端を、台紙部材巻取ローラー２３に固定する。
【００５９】
そして、各ローラーを稼働し、巻物状に巻かれた前記テープ部材Ｔを引っ張り状態とすることにより前記テープ部材Ｔを剥離する剥離工程を行う。本発明の一態様では、この剥離は連続的に行われる。
【００６０】
その際、前記台紙部材Ｄおよび前記テープ部材Ｔは共に樹脂製であれば、本発明の効果を更に効果的に享受できる。既存の多くのテープ部材Ｔは樹脂製であり、台紙部材Ｄは紙製であるが、本発明者の調べにより、台紙部材Ｄも樹脂製である場合、静電気の量が多くなるという知見が得られた。ところが、例え静電気の量が多くなったとしても、本発明の一態様ならば問題無く本発明の効果を奏する。
【００６１】
そして、剥離された前記テープ部材Ｔを除電する除電工程を行う。本発明の一態様では、除電機構をテープ部材Ｔの上方に配置し、テープ部材Ｔと接触させる。剥離工程が連続的に行われるため、除電工程も連続的に行われる。
【００６２】
そして、除電された前記テープ部材Ｔを前記レンズ部材Ｌの面に貼り付ける貼付工程を行う。本発明の一態様では、テープ部材Ｔの搬送を一時停止し、レンズホルダ４を上昇させ、レンズ部材Ｌの凸面とテープ部材Ｔの粘着層とを接触させる。
【００６３】
そして、除電された前記テープ部材Ｔを切り取る切取工程を行う。本発明の一態様では、貼付工程後に、テープ部材Ｔの上方に配置していた刃を下降させ、下方にあるテープ部材Ｔをレンズ部材Ｌの面の輪郭形状に合わせて切り取る。
【００６４】
なお、貼付工程と切取工程との順番の前後は問わない。例えば、連続的に除電された後のテープ部材Ｔをレンズ部材Ｌの面の輪郭形状に合わせて切り取り、その後、切り取られたテープ部材Ｔをレンズ部材Ｌの面に貼り付けても構わない。また、貼付工程と切取工程とを同時に行っても構わない。具体的には、貼付工程にてレンズ部材とテープ部材とを貼り合わせると同時に、レンズホルダに設けられた円環状の刃によりテープ部材を切り取っても構わない。
【００６５】
本発明の一態様に係る貼付装置１（揺動自在な除電ブラシ５を採用した図３）を用い、温度２０〜２２℃および湿度４０〜５０％にて前記製造方法を実施したところ、除電ブラシ５が無い場合に比べ、静電気の電圧を３．０〜４．５ｋＶ低下させることができた。
ちなみに上記例だと、除電ブラシ５を揺動自在ではなく、テープ部材Ｔに対して垂直方向に固定した場合に比べ、電気の電圧を１．０ｋＶ低下させることができた。
いずれにしても、本発明の一態様を採用することにより、テープ部材Ｔへの異物の付着の可能性を減らせることが明らかとなった。
【符号の説明】
【００６６】
１…貼付装置
２１…剥離ローラー
２２…テープ部材巻取ローラー
２３…台紙部材巻取ローラー
３１…貼付前搬送ローラー
３２…貼付後搬送ローラー
４…レンズホルダ
５…除電ブラシ
Ｔ…テープ部材
Ｄ…台紙部材
Ｌ…レンズ部材
１００…（公知の）貼付装置
【図１】
2020056871.tif 000003
【図２】
2020056871.tif 000004
【図３】
2020056871.tif 000005